(57)【要約】      （修正有）【課題】消費電力を低減できる有機電界発光表示素子を提供する。【解決手段】基板上に形成された第１及び第２アノードを含み、第１及び第２アノードの発光領域が交互に配置されている多数のアノード列DL1,DL2,DL3、多数のアノード列と交差する多数の第１隔壁18a、第１及び第２アノードの発光領域に接触するために２個の第１隔壁間にそれぞれ形成される多数のカソードSL1、及び２個の隣接した第１隔壁間にそれぞれ位置する多数の第２隔壁18bを含む。第２隔壁18bは、多数の単位隔壁からなり、各単位隔壁は、別の色相の光を発光する第１ないし第３のサブピクセルからなるピクセルと対応するように形成されるか、または別の色相の光を発光するサブピクセルとそれぞれ対応するように形成される。【選択図】 図６
2006156395.tif 000002
【特許請求の範囲】
【請求項１】
基板上に形成された第１及び第２アノードを含み、第１及び第２アノードは、互いに隣接するように配置され、前記第１及び第２アノードの発光領域が、長手方向に沿って交互に配列されている多数のアノード列と、
多数のアノード列に実質的に垂直に位置した多数の第１隔壁と、
前記第１及び第２アノードの各発光領域と接触するために２個の第１隔壁間にそれぞれ位置する多数のカソードと、
２個の隣接した第１隔壁間に位置する多数の第２隔壁と、
を含むことを特徴とする有機電界発光表示素子。
【請求項２】
前記多数の第２隔壁は、各アノード列の第１及び第２アノードの発光領域間に位置することを特徴とする請求項１に記載の有機電界発光表示素子。
【請求項３】
前記多数の第２隔壁は、有機電界発光表示素子の列方向に形成されることを特徴とする請求項１に記載の有機電界発光表示素子。
【請求項４】
前記多数の第２隔壁は、その長さが多数の第１隔壁の長さより短いことを特徴とする請求項１に記載の有機電界発光表示素子。
【請求項５】
前記多数の第２隔壁は、２個の第１隔壁間に位置した少なくとも一つの第１列サブピクセルを少なくとも一つの第２列サブピクセルと分離するように構成されることを特徴とする請求項１に記載の有機電界発光表示素子。
【請求項６】
各カソードは、隣接した第１隔壁間の空間で少なくとも一つの第１列サブピクセルから少なくとも一つの第２列サブピクセルに延びた少なくとも一つの連結部を含むことを特徴とする請求項５に記載の有機電界発光表示素子。
【請求項７】
それぞれの第２隔壁は、ピクセルの長手方向に沿って延び、前記連結部は、隣接したピクセル間に形成されていることを特徴とする請求項６に記載の有機電界発光表示素子。
【請求項８】
それぞれの第２隔壁は、一つのサブピクセルの長手方向に沿って延び、前記連結部は、隣接したサブピクセル間に形成されていることを特徴とする請求項６に記載の有機電界発光表示素子。
【請求項９】
それぞれの第２隔壁は、少なくとも一つの終端に形成された延長部を含むことを特徴とする請求項５に記載の有機電界発光表示素子。
【請求項１０】
各延長部は、隣接したピクセル間の干渉を防止するように構成されることを特徴とする請求項９に記載の有機電界発光表示素子。
【請求項１１】
各延長部は、隣接したサブピクセル間の干渉を防止するように構成されることを特徴とする請求項９に記載の有機電界発光表示素子。
【請求項１２】
各延長部は、それぞれの第２隔壁の少なくとも一つの終端から延びた第１及び第２延長部を含むことを特徴とする請求項９に記載の有機電界発光表示素子。
【請求項１３】
前記第１及び前記第２延長部は、前記第２隔壁から所定の角度を有して延びたことを特徴とする請求項１２に記載の有機電界発光表示素子。
【請求項１４】
それぞれの第２隔壁は、各終端に形成された延長部を含むことを特徴とする請求項１３に記載の有機電界発光表示素子。
【請求項１５】
それぞれの第２隔壁の第１延長部は、互いに平行するように延び、それぞれの第２延長部は、互いに平行するように延びたことを特徴とする請求項１４に記載の有機電界発光表示素子。
【請求項１６】
それぞれの第２隔壁の第１及び第２延長部は、平行しないことを特徴とする請求項１５に記載の有機電界発光表示素子。
【請求項１７】
前記第１延長部は、前記第２延長部より長いことを特徴とする請求項１５に記載の有機電界発光表示素子。
【請求項１８】
前記第１延長部と前記第２延長部は、それぞれの第２隔壁に実質的に垂直であることを特徴とする請求項１３に記載の有機電界発光表示素子。
【請求項１９】
素子は、有機電界発光表示素子であることを特徴とする請求項１に記載の有機電界発光表示素子。
【請求項２０】
第１カソードを有する多数の第１列ピクセルと、
第２カソードを有する多数の第２列ピクセルと、
多数の第１列ピクセルに隣接するように位置した第１主隔壁と、
多数の第２列ピクセルに隣接するように位置した第２主隔壁と、
多数の第１列ピクセルと多数の第２列ピクセルと間に形成された多数の第２隔壁とを含み、
前記第１カソードと第２カソードは、隣接した第２隔壁間に形成された空間で連結されたことを特徴とする有機電界発光表示素子。
【請求項２１】
それぞれの第２隔壁は、第１列ピクセル及び対応する第２列ピクセルの長手方向に沿って延び、第１及び第２カソードが隣接したピクセル間で延びた隣接した第２隔壁間に形成された空間で連結されることを特徴とする請求項２０に記載の有機電界発光表示素子。
【請求項２２】
それぞれの第２隔壁は、その各終端に形成された延長部を含み、延長部は隣接したピクセル間の干渉を抑制するように構成されることを特徴とする請求項２１に記載の有機電界発光表示素子。
【請求項２３】
各延長部は、それぞれの第２隔壁の各終端から所定の角度を有して延びた第１及び第２延長部を含むことを特徴とする請求項２２に記載の有機電界発光表示素子。
【請求項２４】
第２隔壁の第１延長部は、互いに平行するように延び、第２延長部は、互いに平行するように延びたことを特徴とする請求項２３に記載の有機電界発光表示素子。
【請求項２５】
それぞれの第２隔壁の第１及び第２延長部は、平行しないことを特徴とする請求項２４に記載の有機電界発光表示素子。
【請求項２６】
前記第１延長部は、前記第２延長部より長いことを特徴とする請求項２５に記載の有機電界発光表示素子。
【請求項２７】
前記第１延長部と前記第２延長部は、それぞれの第２隔壁に対して実質的に垂直に延びたことを特徴とする請求項２３に記載の有機電界発光表示素子。
【請求項２８】
前記多数の第２隔壁は、素子の列方向に位置したことを特徴とする請求項２０に記載の有機電界発光表示素子。
【請求項２９】
前記多数の第２隔壁は、第１及び第２主隔壁より長いことを特徴とする請求項２０に記載の有機電界発光表示素子。
【請求項３０】
それぞれの第１列ピクセルは、多数の第１列サブピクセルを含み、それぞれの第２列ピクセルは、多数の第２列サブピクセルを含み、それぞれの第２隔壁は、第１列サブピクセル及び対応する第２サブピクセルの長手方向に沿って延び、第１及び第２カソードが隣接したサブピクセル間で延びた隣接する第２隔壁間に形成された空間で連結されることを特徴とする請求項２０に記載の有機電界発光表示素子。
【請求項３１】
それぞれの第２隔壁は、各終端に形成された延長部を含み、この延長部は、隣接したサブピクセル間の干渉を抑制するように構成されることを特徴とする請求項３０に記載の有機電界発光表示素子。
【請求項３２】
各延長部は、それぞれの第２隔壁の各終端から所定の角度を有して延びた第１及び第２延長部を含むことを特徴とする請求項３１に記載の有機電界発光表示素子。
【請求項３３】
第２隔壁の第１延長部は、互いに平行し、第２隔壁の第２延長部は、互いに平行し、第２隔壁の第１延長部と第２延長部は、平行しないことを特徴とする請求項３２に記載の有機電界発光表示素子。
【請求項３４】
前記第１延長部は、前記第２延長部より長いことを特徴とする請求項３３に記載の有機電界発光表示素子。
【請求項３５】
前記第１延長部と前記第２延長部は、それぞれの第２隔壁に実質的に垂直に延びたことを特徴とする請求項３２に記載の有機電界発光表示素子。
【請求項３６】
素子は、有機電界発光表示素子であることを特徴とする請求項２０に記載の有機電界発光表示素子。
【請求項３７】
第１及び第２カソードは、スキャンラインに共通に連結されたことを特徴とする請求項２０に記載の有機電界発光表示素子。
【請求項３８】
第１及び第２カソードは、各終端からスキャンラインに共通に連結される、または第１及び第２カソードそれぞれからスキャンラインに共通に連結されることを特徴とする請求項３７に記載の有機電界発光表示素子。
【請求項３９】
多数の第１列サブピクセル及び対応する多数の第２列サブピクセルをそれぞれ含む多数の熱意ピクセルと、
多数熱意ピクセルに実質的に平行するように位置する多数の第１隔壁と、
２個の第１隔壁間にそれぞれ位置し、対応する多数の第１列サブピクセルに沿って延びた第１部分及び対応する多数の第２列サブピクセルに沿って延びた第２部分をそれぞれ有する多数のカソードとを含み、
前記各カソードは、カソードの第１部分と第２部分と間に延びた少なくとも一つの連結部を含むことを特徴とする有機電界発光表示素子。
【発明の詳細な説明】
【技術分野】
【０００１】
本発明は、有機電界発光表示素子に関するものであり、特に、消費電力を低減することができる有機電界発光表示素子に関するものである。
【背景技術】
【０００２】
最近、陰極線管の短所である重量とサイズを小さくすることができる各種平板表示装置が開発されている。平板表示装置としては、液晶表示装置（以下、「ＬＣＤ」という。）、電界放出表示装置（ＦＥＤ）、プラズマディスプレーパネル（以下、「ＰＤＰ」という）及び電界発光（以下、「ＥＬ」という）表示素子などがある。
【０００３】
ＰＤＰは、構造と製造工程が比較的単純であるために、大画面化に最も有効であるが、発光効率と輝度が低く、消費電力が大きいという短所がある。
ＬＣＤは、ノート型コンピュータの表示素子として主に用いられながら、需要が増加しているが、大画面化が難しく、バックライトユニットによって消費電力が大きいという短所がある。また、ＬＣＤは、偏光フィルター、プリズムシート、散光シートなどの光学素子により光損失が多く、視野角が狭い短所がある。
【０００４】
これに比べて、ＥＬ素子は、発光層の材料によって無機ＥＬ素子と有機ＥＬ素子とに大別され、自ら発光する自発光素子として応答速度が速く、発光効率、輝度及び視野角が大きいという長所がある。無機ＥＬ素子は、有機ＥＬ素子に比べて電力消耗が大きく、高輝度が得られなく、Ｒ（赤）、Ｇ（緑）、Ｂ（青）の多様な色を発光させることができない。一方に、有機ＥＬ素子は、数十ボルトの低い直流電圧で駆動されると共に、速い応答速度を有し、高輝度を得ることができ、Ｒ、Ｇ、Ｂの多様な色を発光させることができることから、次世代平板ディスプレー素子に適する。
【０００５】
図１は、従来の有機ＥＬ表示素子を概略的に示す図である。
図１を参照すれば、従来の有機ＥＬ表示素子は、相互に交差するように形成されるアノード列（ＤＬ１ないしＤＬｍ）及びカソード（ＳＬ１ないしＳＬｎ）と、その交差部に形成されてマトリックスタイプで配列された第１及び第２有機発光ダイオード１０ａ、１０ｂを備える有機ＥＬ表示パネル２０を備える。
【０００６】
また、アノード（未図示）を介してアノード列（ＤＬ１ないしＤＬｍ）が連結されたデータパッド２４及びカソード（未図示）を介してカソード（ＳＬ１ないしＳＬｎ）が接続されるスキャンパッド２２が位置する非表示領域Ｂを備える。
【０００７】
データパッド部２４及びスキャンパッド部２２は、データ信号を発生するデータ駆動部（未図示）及びスキャン信号を発生するスキャン駆動部（未図示）が実装されたＴＣＰ（Tape Carrier Package：未図示)と接続される。
【０００８】
データ駆動部からアノード列（ＤＬ１ないしＤＬｍ）に供給されるデータ信号は、データパッド２４を介して該当するアノード列（ＤＬ１ないしＤＬｍ）に供給され、スキャン駆動部からのスキャン信号は、スキャンパッド部２２を介してカソード（ＳＬ１ないしＳＬｎ）に供給される。
【０００９】
ここで、各アノード列（例えば、ＤＬ１）は、互いに隣接する第１及び第２アノードＤＬ１−１、ＤＬ１−２からなり、各カソード（例えば、ＳＬ１）は互いに離隔された第１及び第２サブカソードＳＬ１−１、ＳＬ１−２に区分される。
従って、スキャン駆動部から各カソード（ＳＬ１ないしＳＬｎ）に供給されるスキャンパルス（ＳＣＡＮ）は、第１及び第２サブカソードＳＬ１−１、ＳＬ１−２に同時に供給される。
【００１０】
第１有機発光ダイオード１０ａは、その陽極がアノード列ＤＬ１の第１アノードＤＬ１−１に接続され、その陰極がカソードＳＬ１の第１サブカソードＳＬ１−１Ｄに接続される。また、第２有機発光ダイオード１０ｂは、その陽極がアノード列ＤＬ１の第２アノードＤＬ１−２に接続されて、その陰極がカソードＳＬ１の第２サブカソードＳＬ１−２に接続される。
【００１１】
これにより、スキャン駆動部からカソードＳＬ１にスキャンパルス（ＳＣＡＮ）が供給されても、データ駆動部は、第１及び第２有機発光ダイオード１０ａ、１０ｂをそれぞれ別個に駆動できる。
このような動作は、あらゆるアノード列（ＤＬ１ないしＤＬｍ）とカソード（ＳＬ１ないしＳＬｎ）で同様に遂行される。
【００１２】
第１及び第２有機発光ダイオードら１０ａ、１０ｂは、その陰極に接続されたカソード（ＳＬ１ないしＳＬｎ）に負極性スキャンパルスが供給されると同時に、第１有機発光ダイオード１０ａの陽極に接続された各アノード列の第１アノードＤＬ１−１と第２有機発光ダイオード１０ｂの陽極に接続された各アノード列の第２アノードＤＬ１−２に、正極性データパルスがそれぞれ供給されるとき、順方向バイアスにより電流が流れながら発光する。
【００１３】
また、第１及び第２有機発光ダイオード１０ａ、１０ｂは、それぞれカラー画像の実現のために、赤色蛍光体を有する第１ＥＬセル（Ｒ）と、緑色蛍光体を有する第２ＥＬセル（Ｇ）及び青色蛍光体を有する第３のＥＬセル（Ｂ）で形成される。
【００１４】
有機ＥＬ表示素子の一つの画素に該当する第１及び第２有機発光ダイオード１０ａ、１０ｂは、それぞれ第１ないし第３のＥＬセル（Ｒ、Ｇ、Ｂ）の組合せによって一つの画素に対するカラー画像を実現するようになる。
【００１５】
図２は、図１に示された"Ａ"領域を詳細に示す平面図である。
図２を参照すれば、従来の有機ＥＬ表示素子は、互いに交差するように形成されるアノード列ＤＬ１、ＤＬ２、ＤＬ３及びカソードＳＬ１と、アノードＤＬ１、ＤＬ２、ＤＬ３とカソードＳＬ１の交差部に形成された第１ないし第３のＥＬセル（Ｒ、Ｇ、Ｂ）と、アノード列ＤＬ１、ＤＬ２、ＤＬ３を横切って、カソードＳＬ１と並列方向に形成される第１及び第２隔壁８ａ、８ｂとを含む。
【００１６】
上述したように、各アノード列（例えば、ＤＬ１）は、互いに隣接する第１及び第２アノードＤＬ１−１、ＤＬ１−２からなり、各カソードＳＬ１は、第２隔壁８ｂによって互いに離隔された第１及び第２サブカソードＳＬ１−１、ＳＬ１−２に区分される。
従って、一つのアノード列（例えば、ＤＬ１）とカソードＳＬ１の交差領域には、２個の発光領域Ｒが形成される。
【００１７】
ここで、第１隔壁８ａは、非表示領域まで延びて形成されるが、第２隔壁８ｂは、ＥＬセルアレイ領域にのみ形成される。その後、第１及び第２隔壁８ａ、８ｂが形成された基板上のＥＬセルアレイ領域には、有機発光物質がマスクを用いて蒸着され、第１ないし第３のＥＬセル（Ｒ、Ｇ、Ｂ）が形成され、以降、導電性金属の全面蒸着を通じてカソードＳＬ１が形成される。
【００１８】
スキャン駆動部からカソードＳＬ１、即ち、第１及び第２サブカソードＳＬ１−１、ＳＬ１−２に負極性スキャンパルスが印加され、それと同時に、データ駆動部２２からアノード列（例えば、ＤＬ１）のいずれか一つのアノード（例えば、ＤＬ１−１）を介して、正極性データパルスが印加されると、電流が図３に示されるような電流パスを通じて同時にカソードＳＬ１に流れながら、該当セルは、発光する。
【００１９】
このような有機ＥＬ表示素子で、仮に第１及び第２サブカソードＳＬ１−１、ＳＬ１−２をフルホワイト（Full White）で駆動するためのデータ電流がアノードＤＬｌ、ＤＬ２、ＤＬ３を介して印加されるか、比較的大きい電流が印加された場合、第１及び第２サブカソードＳＬ１−１、ＳＬ−１２は、供給される電流に対して、その負荷に耐えられない場合がよく起こる。
【００２０】
このとき、非表示領域に形成される各カソードＳＬ１は、２個のサブカソードＳＬ１−１、ＳＬ１−２にスキャンパルスを印加するために、サブカソードに比べて半分の数で形成することができ、非表示領域に形成されるカソードをより広く形成しうる。
これにより、非発光領域でカソードＳＬ１のライン抵抗が減り、カソードＳＬ１のライン抵抗が減ることにより、有機ＥＬ表示素子の消費電力が低減される。
【発明の開示】
【発明が解決しようとする課題】
【００２１】
しかし、カソードＳＬ−１のライン抵抗は低減されても、依然、ＥＬセルアレイ領域の第１及び第２サブカソードＳＬ１−１、ＳＬ１−２のライン抵抗は低減しないことから、有機ＥＬ表示素子は、その消費電力を低減することには限界がある。
従って、本発明の目的は、消費電力を低減できる有機電界発光表示素子を提供することにある。
【課題を解決するための手段】
【００２２】
上記の目的を達成するために、本発明に係る有機電界発光表示素子は、
基板上に形成された第１及び第２アノードを含み、第１及び第２アノードの発光領域が交互に配置されている多数のアノード列と、多数のアノード列と交差する多数の第１隔壁と、第１及び第２アノードの発光領域に接触するために２個の第１隔壁間にそれぞれ形成される多数のカソードと、２個の隣接した第１隔壁間にそれぞれ位置する多数の第２隔壁とを含んでいる。
【００２３】
第２隔壁は、多数の単位隔壁からなり、各単位隔壁は、別の色相の光を発光する第１ないし第３のサブピクセルからなるピクセルと対応するように形成されるか、または別の色相の光を発光するサブピクセルとそれぞれ対応するように形成される。
【００２４】
各単位隔壁には、少なくとも一方の終端に、一定の長さで延びた延長部が形成されており、この延長部はアノードと平行に延びる。また、各単位隔壁の延長部は、アノードと所定の角度をなした状態で延びた第１及び第２延長部に区分され、第１単位延長部は、第２単位延長部よりその長さが長く、隣接単位隔壁の第１延長部とは平行に形成される。
【発明の効果】
【００２５】
上述したように、本発明に係る有機電界発光素子によれば、各カソードは第２隔壁によって２個のサブカソードに分離され、また第２隔壁の単位隔壁間の領域で連結され、発光領域でカソードはより広い幅を有することができる。その結果、カソードの抵抗が大きく減少し、これにより、有機ＥＬ表示素子の消費電力を低減することができる。
【００２６】
また、各単位隔壁の各終端に、アノードと平行または傾斜した延長部を形成することによって、第１ないし第３のＥＬセル間の干渉を低減することができ、有機ＥＬ表示パネルの画質を向上させることができる。
【発明を実施するための最良の形態】
【００２７】
以下、図４ないし図１４を参照して、本発明の好ましい実施形態について説明する。
図４は、本発明に係る有機ＥＬ表示素子を概略的に示す図であり、本発明に係る有機ＥＬ表示素子の全体的な構成は、図１に示された有機ＥＬ表示素子の構成と同一であるので、これらに対する説明は省略する。
また、説明の便宜のために、以下の図では、３個のアノード列及び１個のカソードのみを示した。
（第１実施形態）
図５は、本発明の第１実施形態に係る有機電界発光表示素子を示す図であり、図４に示された"Ｂ"領域を詳細に示す。
図５を参照すれば、本発明の第１実施形態に係る有機ＥＬ表示素子は、互いに交差するように形成されるアノード列ＤＬ１、ＤＬ２、ＤＬ３とカソードＳＬ１、アノード列ＤＬ１、ＤＬ２、ＤＬ３を横切って、カソードＳＬ１と平行に形成される第１隔壁１８ａ及び第２隔壁１８ｂを含む。
【００２８】
ここで、カソードＳＬ１は、第２隔壁１８ｂによって第１及び第２サブカソードＳＬ１−１、ＳＬ１−２に区分され、従って、一つのアノード列ＤＬ１と一つのカソードＳＬ１が交差する領域には、２個のセルが分離して形成される。また、第１隔壁１８ａは、非表示領域まで延びて形成されるが、第２隔壁１８ｂは、ＥＬセルアレイ領域にのみ形成される。
【００２９】
本実施形態では、カソードＳＬ１を分離する第２隔壁１８ｂは、多数の単位隔壁に分離され、各単位隔壁は、一つの画素に該当する第１ないし第３のＥＬセル（Ｒ、Ｇ、Ｂ）に対応する。
【００３０】
これにより、第１及び第２サブカソードＳＬ１−１、ＳＬ１−２は、隣接する単位隔壁間の領域（連結部）で連結されて、第１及び第２サブカソードＳＬ１−１、ＳＬ１−２は、より広い幅を有して形成され、第１及び第２サブカソードＳＬ１−１、ＳＬ１−２の抵抗が低減する。
【００３１】
従って、第１及び第２サブカソードＳＬ１−１、ＳＬ１−２に印加された電流は、図６のような電流パスを形成して、カソードＳＬ１に容易に流れ、有機ＥＬ表示素子の消費電力を低減することができる。
【００３２】
一方、図５（ｂ）は、図５（ａ）の線５ｂ−５ｂに沿って切欠した状態の断面図、図５（ｃ）は、図５（ａ）の線５ｃ−５ｃに沿って切欠した状態の断面図であり、基板１００上に形成されたアノード列ＤＬ１、第１及び第２アノードと第１サブカソードＳＬ１−１の関係を示している。
説明を省略した符号１１０及び１２０は、絶縁層及び有機ＥＬ層をそれぞれ示す。
【００３３】
（第２実施形態）
図７（ａ）は、本発明の第２実施形態に係る有機電界発光表示素子を示す図であり、図４に示された「Ｂ」領域を詳細に示している。また、図７（ｂ）は、図７（ａ）の線７ｂ−７ｂに沿って切欠した状態の断面図である。
【００３４】
図７（ａ）を参照すれば、本発明の第２実施形態に係る有機ＥＬ表示素子は、互いに交差するように形成されるアノード列ＤＬ１、ＤＬ２、ＤＬ３と、これらのアノード列に交差するカソードＳＬ１と、アノード列ＤＬ１、ＤＬ２、ＤＬ３を横切ってカソードＳＬ１と平行に形成される第１隔壁１８ａ及び第２隔壁２８ｂとを含んでいる。
【００３５】
ここで、カソードＳＬ１は、第２隔壁２８ｂによって、第１及び第２サブカソードＳＬ１−１、ＳＬ１−２に区分され、これにより、一つのアノード列ＤＬ１と一つのカソードＳＬ１が交差する領域には、２個のセルが分離して形成される。また、第１隔壁１８ａは、非表示領域まで延びて形成されるが、第２隔壁２８ｂは、ＥＬセルアレイ領域にのみ形成される。
【００３６】
本実施形態で、カソードを分離する第２隔壁２８ｂは、多数の単位隔壁に分離され、各単位隔壁は、一つの画素に該当する第１ないし第３のＥＬセル（Ｒ、Ｇ、Ｂ）に対応される。
一方、第１ないし第３のＥＬセル（Ｒ、Ｇ、Ｂ）を含む各画素に対応する各単位隔壁は、その終端にアノード列ＤＬ１、ＤＬ３と並列方向に突出された延長部２８ｃを有する。
【００３７】
これにより、第１及び第２サブカソードＳＬ１−１、ＳＬ１−２は、隣接する単位隔壁間の領域（連結部）で連結され、第１及び第２サブカソードＳＬ１−１、ＳＬ１−２はより広い幅を有して形成され、第１及び第２サブカソードＳＬ１−１、ＳＬ１−２の抵抗が低減するようになる。各単位隔壁の両終端に延長部２８ｃが形成されることによって、第１ないし第３のＥＬセル（Ｒ、Ｇ、Ｂ）の発光時に、互いに隣接する画素（第１ないし第３ＥＬセル（Ｒ、Ｇ、Ｂ））間の干渉現象が低減され、有機ＥＬ表示パネルの画質が向上する。
【００３８】
（第３の実施形態）
図８は、本発明の第３の実施形態に係る有機電界発光表示素子を示す図であり、図４に図示された「Ｂ」領域を詳細に示している。
【００３９】
本実施形態に係る有機ＥＬ表示素子の構成は、図６に示された第１実施形態に係る有機ＥＬ表示素子の構成と同一であり、但し、第２隔壁３８ｂの各単位隔壁の少なくとも一方の終端に、アノードＤＬ１−１、ＤＬ１−２と所定角度をなす第１延長部３８ｃ及び第２延長部３８ｄがそれぞれ形成される。
【００４０】
ここで、第１延長部３８ｃは、第２延長部３８ｄの長さより長い。また、各単位隔壁の第１延長部３８ｃは、隣接する単位隔壁の第２延長部３８ｄと隣接して隣接する単位隔壁の第１延長部３８ｃと平行に形成される。
これは、各単位隔壁の第２延長部３８ｄも同様である。即ち、第２隔壁３８ｂの各単位隔壁の第２延長部３８ｄは、隣接単位隔壁の第１延長部３８ｃと隣接して、隣接単位隔壁の第２延長部３８ｄと平行に形成される。
【００４１】
これにより、第１及び第２サブカソードＳＬ１−１、ＳＬ１−２は、隣接する単位隔壁間の領域（連結部）で連結され、第１及び第２サブカソードＳＬ１−１、ＳＬ１−２はより広い幅を有して形成され、第１及び第２サブカソードＳＬ１−１、ＳＬ１−２の抵抗が低減される。また、第２隔壁３８ｂの各単位隔壁のいずれか一方の終端または両終端に延長部３８ｃ、３８ｄを備えることによって、第１ないし第３のＥＬセル（Ｒ、Ｇ、Ｂ）の発光時に、互いに隣接する画素（第１ないし第３ＥＬセル（Ｒ、Ｇ、Ｂ））間の干渉現象が低減され、有機ＥＬ表示パネルの画質が向上する。
【００４２】
以上のような本発明の第２及び第３の実施形態に係る有機ＥＬ表示素子では、第１及び第２サブカソードＳＬ１−１、ＳＬ１−２に印加された電流は、図９に示されたような電流パスの形成を通じてカソードＳＬ１に流れ、有機ＥＬ表示素子の消費電力を低減することができる。
【００４３】
（第４の実施形態）
図１０は、本発明の第４の実施形態に係る有機電界発光表示素子を示す図であり、図４に示された「Ｂ」領域を詳細に示している。
【００４４】
図１０を参照すれば、本発明の第４の実施形態に係る有機ＥＬ表示素子は、互いに交差ように形成されるアノード列ＤＬ１、ＤＬ２、ＤＬ３と、これらのアノード列に交差するカソードＳＬ１と、アノード列ＤＬ１、ＤＬ２、ＤＬ３を横切って、カソードＳＬ１と平行に形成される第１隔壁１８ａ及び第２隔壁４８ｂとを含む。
【００４５】
ここで、カソードＳＬ１は、第２隔壁４８ｂによって第１及び第２サブカソード（ＳＬ１−１、ＳＬ１−２）に区分され、これにより、一つのアノード列ＤＬ１と一つのカソードＳＬ１が交差する領域には、２個のセルが分離して形成される。また、第１隔壁１８ａは、非表示領域まで延びて形成されるが、第２隔壁４８ｂは、ＥＬセルアレイ領域にのみ形成される。
【００４６】
本実施形態で、カソードを分離する第２隔壁４８ｂは、多数の単位隔壁に分離され、各単位隔壁は、一つの画素を構成する第１ないし第３のＥＬセル（Ｒ、Ｇ、Ｂ）にそれぞれ対応される。これにより、第１及び第２サブカソードＳＬ１−１、ＳＬ−２は、隣接する単位隔壁間の領域（連結部）で連結され、第１及び第２サブカソードＳＬ１−１、ＳＬ１−２はより広い幅を有して形成され、第１及び第２サブカソードＳＬ１−１、ＳＬ１−２の抵抗が低減される。
【００４７】
従って、第１及び第２サブカソードＳＬ１−１、ＳＬ１−２に印加された電流は、図１１のような電流パスを通じてカソードＳＬ１に流れ、有機ＥＬ表示素子の消費電力を低減することができる。
【００４８】
（第５の実施形態）
図１２は、本発明の第５の実施形態に係る有機電界発光表示素子を示す図であり、図４に示された「Ｂ」領域を詳細に示している。
【００４９】
図１２を参照すれば、本実施形態に係る有機ＥＬ表示素子の構成は、図１０に示された第４の実施形態に係る有機ＥＬ表示素子の構成と同一である。但し、第２隔壁５８ｂの各単位隔壁の少なくとも一方の終端に、アノード列ＤＬ１、ＤＬ３と並列方向に突出した延長部５８ｃを有する。
【００５０】
これにより、第１及び第２カソードＳＬ１−１、ＳＬ１−２は、隣接する単位隔壁間の領域（連結部）で連結され、第１及び第２カソードＳＬ１−１、ＳＬ１−２は、より広い幅を有して形成され、第１及び第２カソードＳＬ１−１、ＳＬ１−２の抵抗が低減される。また、各単位隔壁の終端に延長部５８ｃが形成されることによって、第１ないし第３ＥＬセル（Ｒ、Ｇ、Ｂ）の発光時に第１ないし第３ＥＬセル（Ｒ、Ｇ、Ｂ）間の干渉現象が低減され、有機ＥＬ表示パネルの画質が向上する。
【００５１】
（第６の実施形態）
図１３は、本発明の第６の実施形態に係る有機電界発光表示素子を示す図であり、図４に図示された「Ｂ」領域を詳細に示している。
【００５２】
本実施形態に係る有機ＥＬ表示素子の構成は、図１０に示された第４の実施形態に係る有機ＥＬ表示素子の構成と同一である。但し、第２隔壁６８ｂの各単位隔壁の少なくとも一方の終端に、アノードＤＬ１、ＤＬ２と所定角度をなす第１延長部６８ｃ及び第２延長部６８ｄがそれぞれ形成される。
【００５３】
ここで、第１延長部６８ｃは、第２延長部６８ｄの長さより長い。また、各単位隔壁の第１延長部６８ｃは、隣接する単位隔壁の第２延長部６８ｄと隣接して隣接する単位隔壁の第１延長部６８ｃと平行に形成される。
【００５４】
各単位隔壁の他方の終端に形成された第２延長部６８ｄの構造も第１延長部の構造と同一である。即ち、各単位隔壁の第２延長部６８ｄは、隣接する単位隔壁の第１延長部６８ｃと隣接して、隣接する単位隔壁の第２延長部６８ｄと平行に形成される。
【００５５】
これにより、第１及び第２サブカソードＳＬ１−１、ＳＬ１−２は、隣接単位隔壁間の領域（連結部）で連結され、第１及び第２サブカソードＳＬ１−１、ＳＬ１−２は、より広い幅を有して形成され、第１及び第２サブカソードＳＬ１−１、ＳＬ１−２の抵抗が低減される。また、各単位隔壁６８ｂが、両終端に延長部６８ｃ、６８ｄを備えることによって、第１ないし第３のＥＬセル（Ｒ、Ｇ、Ｂ）の発光時に、互いに隣接する第１ないし第３のＥＬセル（Ｒ、Ｇ、Ｂ）間の干渉現象が低減され、有機ＥＬ表示パネルの画質が向上する。
【００５６】
以上のような本発明の第５及び第６の実施形態に係る有機ＥＬ表示素子では、第１及び第２サブカソードＳＬ１−１、ＳＬ１−２に印加された電流は、図１４に示されたような電流パスの形成を通じてカソードＳＬ１に流れ、有機ＥＬ表示素子の消費電力を低減することができる。
【００５７】
以上で説明した内容を通じて当業者であれば、本発明の技術思想を逸脱しない範囲内で多様な変更及び修正が可能である。従って、本発明の技術的範囲は明細書の詳細な説明に記載された内容に限定されるものではなく、本発明の特許請求の範囲によって決められるべきである。
【図面の簡単な説明】
【００５８】
【図１】従来の有機電界発光表示素子を概略的に示す図である。
【図２】図１に示された"Ａ"領域を詳細に示した部分図である。
【図３】従来の有機電界発光表示素子に形成される電流パスを示す図である。
【図４】本発明に係る有機電界発光表示素子を概略的に示す図である。
【図５】図５ａは、本発明の第１実施形態に係る有機電界発光表示素子を示す図であり、図５ｂは、図５ａの線５ｂ−５ｂに沿って切欠した状態の断面図、また、図５ｃは、図５ａの線５ｃ−５ｃに沿って切欠した状態の断面図である。
【図６】本発明の第１実施形態に係る有機電界発光表示素子に形成される電流パスを示す図である。
【図７】図７ａは、本発明の第２実施形態に係る有機電界発光表示素子を示す図であり、図７ｂは、図７ａの７ｂ−７ｂ線に沿って切欠した状態の断面図である。
【図８】本発明の第３の実施形態に係る有機電界発光表示素子を示す図である。
【図９】本発明の第２及び第３の実施形態に係る有機電界発光表示素子に形成される電流パスを示す図である。
【図１０】本発明の第４の実施形態に係る有機電界発光表示素子を示す図である。
【図１１】本発明の第４の実施形態に係る有機電界発光表示素子に形成される電流パスを示す図である。
【図１２】本発明の第５の実施形態に係る有機電界発光表示素子を示す図である。
【図１３】本発明の第６の実施形態に係る有機電界発光表示素子を示す図である。
【図１４】本発明の第６実施形態に係る有機電界発光表示素子に形成される電流パスを示す図である。
【符号の説明】
【００５９】
１８ａ  第１隔壁
１８ｂ  第２隔壁
ＤＬ１、ＤＬ２、ＤＬ３  アノード列
ＤＬ１−１  第１アノード
ＤＬ１−２  第２アノード
ＳＬ１  カソード
ＳＬ１−１  第１サブカソード
ＳＬ１−２  第２サブカソード
【図１】
2006156395.tif 000003
【図２】
2006156395.tif 000004
【図３】
2006156395.tif 000005
【図４】
2006156395.tif 000006
【図５】
2006156395.tif 000007
【図６】
2006156395.tif 000008
【図７】
2006156395.tif 000009
【図８】
2006156395.tif 000010
【図９】
2006156395.tif 000011
【図１０】
2006156395.tif 000012
【図１１】
2006156395.tif 000013
【図１２】
2006156395.tif 000014
【図１３】
2006156395.tif 000015
【図１４】
2006156395.tif 000016